(57)【要約】【課題】テスト対象のパッケージＩＣを両側から挟持するに際し、外形寸法が異なっても挟持することが可能なパッケージＩＣ用ハンドラを提供する。【解決手段】パッケージＩＣを収納する収納部と、収納部の両側に対をなして対向し、パッケージＩＣを挟持する保持手段とを有し、保持手段は板状でハウジングに緊合されてＵ字形に付勢された弾性部材と、弾性部材の一端部をハウジングから上下動させる駆動部と、弾性部材の一端部の上下動に追動して拡縮する他端部と、他端部の拡縮に追動して水平方向に前進／後退する抑え部とを有し、保持手段のそれぞれは、駆動部が弾性部材の一端部を引上するとハウジングから解合し、他端部が減勢して開き、抑え部が相互に前進して収納部内のパッケージＩＣを両側から弾接して挟持するように構成する。【選択図】      図１
2004239833.tif 000002
【特許請求の範囲】
【請求項１】
パッケージＩＣを収納する収納部と、該収納部の両側に対をなして対向し、該パッケージＩＣを挟持する保持手段とを有し、
該保持手段は、板状でハウジングに緊合されてＵ字形に付勢された弾性部材と、該弾性部材の一端部を該ハウジングから上下動させる駆動部と、該弾性部材の一端部の上下動に追動して拡縮する他端部と、該他端部の緊縮に追動して水平方向に前進／後退する抑え部とを有し、
該保持手段のそれぞれは、該駆動部が該弾性部材の一端部を引上すると該ハウジングから解合し、該他端部が減勢して開き、該抑え部が相互に前進して該収納部内の該パッケージＩＣを両側から弾接して挟持するものである
ことを特徴とするパッケージＩＣ用ハンドラ。
【請求項２】
前記抑え部は、側面に二つの突起を有し、前記保持手段の他端部が該二つの突起の間に緩合して揺動するものである
ことを特徴とする請求項１記載のパッケージＩＣ用ハンドラ。
【発明の詳細な説明】
【０００１】
【発明の属する技術分野】
本発明は、パッケージＩＣテスタによって被測定対象物であるパッケージＩＣに含まれるＩＣデバイスの電気的特性を測定する際に使用するパッケージＩＣ用ハンドラに関し、さらに詳しくは形状、寸法の異なるパッケージＩＣを収納することができるパッケージＩＣ用ハンドラに用いるパッケージＩＣ用キャリアモジュールの構造に関する。なお、パッケージＩＣとは、ＩＣデバイスを樹脂モールドしてパッケージされたＩＣを意味する。
【０００２】
【従来の技術】
ＩＣテスタによってパッケージＩＣの電気的特性を測定する場合には、パッケージＩＣの外形に合わせたパッケージＩＣ用ハンドラを規則的に配置したテストトレイにパッケージＩＣを収納して実施している。
図７は一般的に用いられているテストトレイの斜視図である。
【０００３】
なお、ここでは一つのテストトレイに１６個×４列＝６４個のパッケージＩＣ用ハンドラを持つ例を示してある。
また、図８は従来のパッケージＩＣ用ハンドラに用いられているパッケージＩＣの抑え機構を示す図である。ここに見られるように、受け取ったパッケージＩＣが位置ずれしたり飛び出したりしないようにするために、パッケージＩＣ用ハンドラの一部にプラスチックなどで作られた爪を形成しておき、プラスチックの弾性を利用して固定・開放していた。
【０００４】
また一方では多リード端子化による大型化も進み、パッケージＩＣは益々多様化が進んでいるので、この従来技術の構成による爪は、パッケージＩＣ用ハンドラと一体モールド成形型で量産できるというメリットがある。
しかし、プラスチック製であることから材料費は安く済むが、ばね性の劣化の問題や機械的強度が弱いために、外力が加わった場合に生じる破損の問題が存在しており、これらを解決するために種々の改良が行われている。
【０００５】
例えば、パッケージＩＣを抑える爪をばね性のある金属によって形成された板ばねとし、ガイド穴に沿って駆動部を上下させることで板ばねを弾性変形させてパッケージＩＣを抑えるまたは開放する構造、また、別に構成したパッケージＩＣの所定位置を保持する収納部の周囲に、所定個数のガイド穴と板ばね保持用シャフトを設けるという構造が開示されている（例えば、特許文献１参照。）。
【０００６】
ここに開示されている従来のパッケージＩＣ用ハンドラの断面図を図９に示す。
すなわち、パッケージＩＣ用ハンドラの抑え機構を、ばね性のある金属によって形成された板ばねとすることで、多数回の繰り返し開閉動作に対してばね性を失わず、したがってパッケージＩＣを抑える力が劣化することなく長寿命化し、板ばねの形状と弾性変形させる駆動部の機構との組み合わせを選択することによって被測定対象パッケージＩＣの形状の変更にも対応し易くしたものである。
【０００７】
しかし、収納するパッケージＩＣの外形に合わせて収納部が作られているためにパッケージＩＣを抑える板ばねは駆動部の開放時に一定の位置で停止するので、外形寸法の異なるパッケージＩＣを収納するためには、パッケージＩＣの外形に合わせた板ばねの形状と弾性変形させる駆動部の機構を多品種分それぞれ準備しておき、測定対象であるパッケージＩＣの外形寸法に合うように板ばねと駆動部の機構を交換しなければならないという問題がある。
【０００８】
このように、一般的に用いられているパッケージＩＣ用ハンドラはパッケージＩＣの外形に合わせてつくられており、パッケージＩＣ用ハンドラの底部にはＩＣデバイスの接触子を測定器の測定端子と接続させるためにパッケージＩＣの外形より小さな開口が設けられている。
そしてパッケージＩＣ用ハンドラに搭載されたパッケージＩＣは収納部の底部にある開口部にはめ込むことで固定し、さらに爪などで上部から抑えることでパッケージＩＣを挿入後のテストトレイの移載時の振動や衝撃によって発生する位置ずれや脱落を防止する構成を有している。
【０００９】
そのため、外形寸法の異なるパッケージＩＣに対応するためには、板ばねの形状と駆動部の機構を多品種分準備しておき、測定対象であるパッケージＩＣの形状が変更になるごとに入れ換える必要があるという問題があった。
したがって、外形寸法が異なるパッケージＩＣであっても対応することができる構造を有するパッケージＩＣ用ハンドラが求められている。
【００１０】
【特許文献１】
特開平０８−１４６０８５号公報  （第２〜４頁、図１）
【００１１】
【発明が解決しようとする課題】
本発明はこの課題を解決するために、テスト対象のパッケージＩＣを両側から挟持するに際し、外形寸法が異なっても挟持することが可能なパッケージＩＣ用用ハンドラを提供することを目的とする。
【００１２】
【課題を解決するための手段】
上に述べた課題は、本発明の請求項１によれば、パッケージＩＣを収納する収納部と、該収納部の両側に対をなして対向し、該パッケージＩＣを挟持する保持手段とを有し、該保持手段は、板状でハウジングに緊合されてＵ字形に付勢された弾性部材と、該弾性部材の一端部を該ハウジングから上下動させる駆動部と、該弾性部材の一端部の上下動に追動して拡縮する他端部と、該他端部の拡縮に追動して水平方向に前進／後退する抑え部とを有し、該保持手段のそれぞれは、該駆動部が該弾性部材の一端部を引上すると該ハウジングから解合し、該他端部が減勢して開き、該抑え部が相互に前進して該収納部内の該パッケージＩＣを両側から弾接して挟持するものであるパッケージＩＣ用ハンドラとすることで達成される。
【００１３】
すなわち、保持手段を板状でハウジングに収納されてＵ字形に付勢された弾性部材と、弾性部材の一端部をハウジングから上下動させる駆動部と、弾性部材の一端部の上下動に追動して拡縮する他端部と、他端部の拡縮に追動して水平方向に前進／後退する抑え部とを有する構成としている。
この構成を有するパッケージＩＣ用ハンドラとすることで、弾性部材の一端部を引上すると保持手段のそれぞれはハウジングから解合し、他端部が減勢して開き、抑え部が相互に前進して収納部内のパッケージＩＣを両側から弾接して挟持するので、パッケージＩＣと接触するまでの移動量に自由度を持たせることができ、長さの異なる多品種のパッケージＩＣに対応することが可能なパッケージＩＣ用ハンドラとすることができる。
【００１４】
また、上に述べた課題は、本発明の請求項２によれば、前記抑え部は、側面に二つの突起を有し、前記保持手段の他端部が該二つの突起の間に緩合して揺動するものであるパッケージＩＣ用ハンドラとすることで達成される。
すなわち、パッケージＩＣ用ハンドラの抑え部の側面に二つの突起を有し、保持手段の他端部が二つの突起の間に緩合するように構成している。
【００１５】
この構成を有するパッケージＩＣ用ハンドラとすることで、抑え部の側面の二つの突起で弾性部材の他端部を保持するので、この他端部に追動して前進／後退する抑え部がパッケージＩＣと接触するまでの自由度を持たせることができ、長さの異なる多品種のパッケージＩＣに対応することが可能なパッケージＩＣ用ハンドラとすることができる。
【００１６】
【発明の実施の形態】
以下、実施例により本発明をさらに詳細に説明するが、本発明はこれらに限定されるものではない。
〔実施例１〕
図１は、本発明によるパッケージＩＣ用ハンドラを説明する側断面図である。ここで、符号１はパッケージＩＣ用ハンドラを、２は保持手段を、３はパッケージＩＣを、４は仮置き台を、５は収納部を、６はハウジングを、７は弾性部材を、７１は弾性部材の一端部を、７２は弾性部材の他端部を、８は駆動部を、９は抑え部を、１０はガイド穴を、１１は突起を、それぞれ示している。
【００１７】
図２は、本発明の抑え部の拡大図と共に、弾性部材と抑え部の連結部の拡大図を示している。ここで、符号１１は突起を示している。
図９に示したように、従来のパッケージＩＣ用ハンドラでは、測定対象となるパッケージＩＣの外形寸法に合わせたハンドラに交換することで使用を可能としていた。
【００１８】
これに対し本発明では、パッケージＩＣ３を両側面から挟持する保持手段２は、板状でハウジング６に緊合されてＵ字形に付勢された弾性部材７と、弾性部材７の一端部７１をハウジング６から上下動させる駆動部８と、弾性部材７の一端部７１の上下動に追動して拡縮する他端部７２に追動して水平方向に前進／後退する抑え部９とを有し、保持手段２のそれぞれは、駆動部８が弾性部材７の一端部７１を引上するとハウジング６から解合し、他端部７２が減勢して開き、抑え部９が相互に前進して収納部５内のパッケージＩＣ３を両側から弾接して挟持するように構成してあるので、パッケージＩＣ３の外形寸法が異なる場合でも同一のハンドラで収納することが可能となる。
【００１９】
また、図２に示すように、抑え部９の側面に設けた二つの突起１１の間を弾性部材７の先端部である他端部７２が緩合する構成としている。
この構成とすることにより、駆動部８が弾性部材７の一端部７１を引上すると保持手段２のそれぞれはハウジングから解合し、他端部７２が減勢して開き、抑え部９が相互に前進して収納部５内のパッケージＩＣ３を両側から弾接して挟持する。
【００２０】
反対に、駆動部８が弾性部材７の一端部７１を押下すると、保持手段２のそれぞれはハウジングに嵌合し、他端部７２が付勢して抑え部９が相互に後退して収納部５内のパッケージＩＣ３を開放する。
すなわち、弾性部材７の他端部７２が減勢して開きＢで示す方向に進むと、抑え部９がＡで示す右方向に前進してパッケージＩＣ３の大きさに対応して弾接して挟持する。
【００２１】
収納部５内の両側に対をなして対向する保持手段２の弾性部材７を、同じばね係数を有するもので構成することにより、パッケージＩＣ３の両側面を均等の力で挟持することが可能となり、パッケージＩＣ３が中心からずれて置かれた場合でも挟持される位置は常に中心に保つことができる。
図６（ａ）、（ｂ）は、抑え部の上面図である。ここにみられるように、パッケージＩＣ３と抑え部９の接触部分の角度を変えることで、位置合わせ精度をより向上させることができる。
【００２２】
以下に、本発明になるパッケージＩＣ用ハンドラを用いてパッケージＩＣを固定する動作を示す。
図３〜５は、保持手段によってパッケージＩＣが固定される概念を示す図である。符号１２は収納部５の両側の側壁を、１３は載置手段をそれぞれ示している。なお、ここでは抑え部９の側面に設けた二つの突起１１は省略してある。
【００２３】
図３は、抑え部と仮置き台の位置関係を示す図であり、載置手段１３は仮置き台４の直上の図示しないところに到達している。
図４は、載置手段と仮置き台の位置関係を示す図であり、上方からパッケージＩＣ３を、吸引などの方法で保持した載置手段１３が降下してきて、仮置き台４に達したところを示している。なお、この段階では、図示していない駆動部８によって弾性部材７の一端が押下されているために、抑え部９は後退した状態にある。
【００２４】
続いて、載置手段１３が上方に移動した後、仮置き台４が上昇する。そして図１に示す駆動部８が引上することにより、抑え部９が前進する。図５は抑え部９がパッケージＩＣを保持した状態を示す図であり、抑え部９がパッケージＩＣ３を両側から均等に把持している。
続いて、図示しないが、仮置き台４が下方に後退する。そしてテストトレイ上のパッケージＩＣ用ハンドラの全ての必要な部分にパッケージＩＣ３が収納されると、図示しないテストトレイが仮置き台４と干渉しない位置まで上昇し、図示しないテストチャンバに搬送される。
【００２５】
なお、パッケージＩＣの特性の測定時には、パッケージＩＣ用ハンドラに固定された状態で上から圧力がかけられるので、本実施例では抑え部９の先端は図１に示したような断面Ｙ字形としたものを例示したが、断面長方形  抑え部９の下面に爪を設けておくなどの種々の変形により、パッケージＩＣが抜け落ちることを防止することができる。
【００２６】
【発明の効果】
従来は、ＩＣテスタによってパッケージＩＣの電気的特性を測定するに際し、外形寸法の異なるパッケージＩＣに対応するためには、板ばねの形状と駆動部の機構を多品種分準備しておき、測定対象であるパッケージＩＣの形状が変更になるごとに入れ換える必要があったが、本発明の構成とすることで同一のパッケージＩＣ用ハンドラで対応することが可能となり、作業性を著しく向上させることができるという効果を生じ生産性の向上を図ることができるので、パッケージＩＣのコストダウンに寄与するところが大きい。
【図面の簡単な説明】
【図１】本発明によるパッケージＩＣ用ハンドラを説明する側断面図。
【図２】本発明による抑え部の拡大図と、弾性部材と抑え部の連結部の拡大図。
【図３】抑え部と仮置き台の位置関係を示す図。
【図４】載置手段と仮置き台の位置関係を示す図。
【図５】抑え部がパッケージＩＣを保持した状態を示す図。
【図６】抑え部の上面図。
【図７】一般的に用いられているテストトレイの斜視図。
【図８】従来のパッケージＩＣ用ハンドラに用いられている抑え機構を示す図。
【図９】従来のパッケージＩＣ用ハンドラの断面図。
【符号の説明】
１  パッケージＩＣ用ハンドラ
２  保持手段
３  パッケージＩＣ
４  仮置き台
５  収納部
６  ハウジング
７  弾性部材
７１  弾性部材の一端部
７２  弾性部材の他端部
８  駆動部
９  抑え部
１０  ガイド穴
１１  突起
１２  収納部の側壁
１３  載置手段
Ａ  弾性部材の移動方向
Ｂ  抑え部の移動方向
【図１】
2004239833.tif 000003
【図２】
2004239833.tif 000004
【図３】
2004239833.tif 000005
【図４】
2004239833.tif 000006
【図５】
2004239833.tif 000007
【図６】
2004239833.tif 000008
【図７】
2004239833.tif 000009
【図８】
2004239833.tif 000010
【図９】
2004239833.tif 000011